(57)【要約】【課題】  換気口カバーについて、耐外風仕様として必要な耐外風性能を備えつつ圧損を改善し、また耐雨水浸入性能も高める。【解決手段】  フード６の内部に、先端開口７ｃよりも開口面積が小さく差込筒３ｂと連通する基端開口７ｄを有するベルマウス７を設ける。このベルマウス７の整流作用によって、換気口カバー５それ自体の圧損を低下させ、無風状態での排気風量と給気風量を向上させる。また、ベルマウス７は、差込筒３ｂに対する衝立として機能する。このためフード６の内部に外風の吹き込みを受けても、耐外風仕様として必要な排気風量や給気風量を得ることができ、差込筒３ｂへの雨水の浸入が少なくなる。【選択図】    図１
2006145161.tif 000002
【特許請求の範囲】
【請求項１】
建物の外壁に沿わせる背面板と、背面板の後方に突出して外壁に開口するダクトの屋外側端末に差し込ませて接続する差込筒と、背面板の前方を覆い外気への通気開口を形成したフードと、を備える換気口カバーにおいて、
フードの内部で背面板の前方に突出する先端開口と、先端開口よりも開口面積が小さく差込筒と連通する基端開口とを有する通気内筒を、背面板に設けたことを特徴とする換気口カバー。
【請求項２】
通気内筒を、基端開口から先端開口にかけて次第に開口面積が大きくなるベルマウス形状とした請求項１記載の換気口カバー。
【請求項３】
通気内筒を、先端開口がフードの側面部に形成した通気開口における背面板側の開口縁と略等位置に突出する長さとして形成した請求項１又は請求項２記載の換気口カバー。
【請求項４】
通気内筒に、先端開口に向けて傾斜する排水溝を設けた請求項１〜請求項３何れか１項記載の換気口カバー。
【請求項５】
フードの前面部に、先端開口からの排気を通気開口に受け流す傾斜面を設けた請求項１〜請求項４何れか１項記載の換気口カバー。
【請求項６】
通気内筒の先端開口に外向きフランジを設けた請求項１〜請求項５何れか１項記載の換気口カバー。
【発明の詳細な説明】
【技術分野】
【０００１】
この発明は、建物の外壁に取付ける換気口カバーに関する。
【背景技術】
【０００２】
建物のダクトの屋外側端末に取付ける換気口カバーには、一連の換気経路でなる換気システムに適用した場合に、圧損が少ないこと、つまり排気風量や給気風量の大きいことが求められる。この他にも、換気口カバーには、使用環境等に応じて様々な技術的特徴をもつものがあり、例えば外風の影響を考慮しなければならない場合には、無風状態での排気風量や給気風量と比較して、外風を受けてもある程度の排気風量や給気風量を確保できることが求められる。この性能は、例えば“耐外風性能”などと呼ばれている。
【０００３】
図４は、一従来例による耐外風仕様の換気口カバー１である。この換気口カバー１は、フード２と背面板３とを備えており、フード２は、正面、左右側面、上面、底面のあるボックス状となっている。このうち左右の各側面には、通気開口２ａが形成されており、風向制御用の縦ガラリ２ｂが架け渡すように形成されている。一方、背面板３には、フード２の後端内側に差し込ませて固定する取付枠３ａが前方に突出して形成されており、またダクトの屋外側端末に差し込んで接続する差込筒３ｂが、円筒状に成形され後方に突出するように形成されている。このような換気口カバー１は、フード２の左右各側面の通気開口２ａを、背面板３から離れた前方位置に設定し、差込筒３ｂの屋外側開口端との間に距離を置くことで、強い外風が吹き付けても、例えば差込筒３ｂからフード２の内部へ吹き出す排気風量をある程度確保できるようにしている。
【発明の開示】
【発明が解決しようとする課題】
【０００４】
ところが、このような換気口カバー１は、建物の外壁に取付けられるものであり、製品の外寸がある程度の大きさに制約されることもあって、圧損を改善するのが難しいという問題がある。すなわち、換気口カバー１のような構造では、フード２の通気開口２ａと差込筒３ｂの屋外側開口端との間に距離を置いているが、圧損を改善すべくその距離を短くすると、外風の影響をより強く受けて排気風量や給気風量が低下してしまう。逆に、排気風量や給気風量を高めるべく、外寸上許容できる範囲でその距離を長くとると、逆に圧損が悪化してしまう。耐外風性能を技術的特徴とする従来の換気口カバー１は、所定の耐外風性能を確保するために、ある程度の圧損の高さを容認せざるを得ない構造となっているのが実際である。
【０００５】
また、換気口カバー１は、前述のようにある程度の圧損の高さを容認せざるを得ないため、フード２の通気開口２ａには、圧損をできるだけ悪化させない縦ガラリ２ｂが使用されている。しかしながら、換気口カバー１の取付位置の近くに建物の天井があると、縦ガラリ２ｂから吹き出した排気によって天井を汚損するおそれがある。こうした場合、本来は排気の吹出し方向を、外壁から離間する斜め下向きに偏向して、できるだけ排気が天井と接触しないような斜め下向き吹出しの斜めガラリを使用すべきではあるが、斜めガラリは縦ガラリよりも圧損が高くなるため、これをそのまま換気口カバー１に使用することは、圧損上の制約から困難である。
【０００６】
さらに、換気口カバー１では、外風に乗って雨水が吹き付けると、差込筒３の内部への雨水の浸入を阻害するものがなく雨水がダクト内に浸入しやすいという耐雨水浸入性能における課題もある。
【０００７】
以上のような従来技術を背景になされたのが本発明であり、その目的は、従来の換気口カバーについて、耐外風仕様として必要な耐外風性能を備えつつ圧損を改善することにあり、またこれと合わせて耐雨水浸入性能をも高めることにある。
【課題を解決するための手段】
【０００８】
上記目的を達成すべく本発明は、下記構成の換気口カバーを提供するものである。
【０００９】
すなわち、請求項１の発明は、建物の外壁に沿わせる背面板と、背面板の後方に突出して外壁に開口するダクトの屋外側端末に差し込ませて接続する差込筒と、背面板の前方を覆い外気への通気開口を形成したフードと、を備える換気口カバーについて、フードの内部で背面板の前方に突出する先端開口と、先端開口よりも開口面積が小さく差込筒と連通する基端開口とを有する通気内筒を、背面板に設けたことを特徴とする。
【００１０】
請求項１記載の発明によれば、フードの内部で背面板の前方に突出する先端開口と、先端開口よりも開口面積が小さく差込筒と連通する基端開口とを有する通気内筒を、背面板に設けたため、基端開口よりも先端開口が大きい通気内筒の整流作用によって、圧損を低下させることができ、無風状態での排気風量と給気風量とを向上することができる。また、通気内筒が全長にわたって差込筒に対する衝立として機能するため、外風の吹き込みを受けても、耐外風仕様として必要な排気風量や給気風量を得ることができる。さらに、通気内筒が衝立として機能するため、差込筒への雨水の浸入を少なくすることができる。そして、前述のように圧損を低下させることができるため、縦ガラリよりも圧損が高くなる斜め下向き吹出しの斜めガラリを使用することができ、排気によって近くの天井の汚損を少なくできる。
【００１１】
このような通気内筒は、差込筒と一連一体としても、また差込筒と別部材としても、何れによっても構成することが可能であり、その素材は金属又は合成樹脂にて構成することができる。また、通気内筒は、既存する換気口カバーの背面板に対して後付けするアタッチメントとしても構成することができる。
【００１２】
請求項２の発明は、通気内筒を、基端開口から先端開口にかけて次第に開口面積が大きくなるベルマウス形状としたものである。
【００１３】
前記通気内筒は、先端開口の端部側で開口面積が拡大するものとして、また先端開口と基端開口の間から開口面積が拡大するものとして構成することができる。また、請求項２記載の発明のように、基端開口から先端開口にかけて次第に開口面積が大きくなるベルマウス形状とすることもできる。この請求項２の発明のように、徐々に開口面積を大きくすることで、例えば排気が徐々に外向きに拡散される整流作用によって、圧損を低くし排気風量の減少を抑えることができる。
【００１４】
このようなベルマウス形状は、正円・楕円を含む円錐状の形態でも、すべての内角が等角の角錐状の形態、あるいは一部の内角が他の内角と異なる異形の角錐状の形態でもよい。
【００１５】
請求項３の発明は、通気内筒を、先端開口がフードの側面部に形成した通気開口における背面板側の開口縁と略等位置に突出する長さとして形成したものである。
【００１６】
請求項３記載の発明によれば、通気内筒を、先端開口がフードの側面部に形成した通気開口における背面板側の開口縁と略等位置に突出する長さとして形成したので、製品の外寸がある程度の大きさに制限されるという設計上の制約条件を前提としながらも、圧損を小さくしつつ耐外風仕様として必要な耐外風性能を発揮することができる。
【００１７】
請求項４の発明は、通気内筒に、先端開口に向けて傾斜する排水溝を設けたものである。
【００１８】
請求項４記載の発明によれば、通気内筒に先端開口に向けて傾斜する排水溝を設けたため、通気内筒の内周面に付着する雨水が排水溝に集めて流すことができ、耐雨水浸入性能が高まる。
【００１９】
請求項５の発明は、フードの前面部に、先端開口からの排気を通気開口に受け流す傾斜面を設けたものである。
【００２０】
請求項５記載の発明によれば、フードの前面部に、先端開口からの排気を通気開口に受け流す傾斜面を設けたため、傾斜面の整流作用により排気風量の減少を抑えることができる。
【００２１】
請求項６の発明は、通気内筒の先端開口に外向きフランジを設けたものである。
【００２２】
請求項６記載の発明によれば、通気内筒の先端開口に外向きフランジを設けたため、この外向きフランジによって、外風に乗って吹き付ける雨水に対する水返しとして機能するため、耐雨水浸入性能が高まる。
【発明の効果】
【００２３】
本発明の換気口カバーは、耐外風仕様として必要な耐外風性能を備えつつ圧損を改善することができるので、強い外風が吹き付ける場所での使用に好適であり、例えばダクトの室内側端部に取付けた、レンジフードファンのような排気量のある機械式の排気装置の性能を活かした換気を行うことができる。また、耐雨水浸入性能をも高めることができるので、ダクト内への雨水の浸入を阻止して、建物内への水漏れも回避できる。
【発明を実施するための最良の形態】
【００２４】
以下、本発明の実施形態の一例について、図面を参照しつつ説明する。なお、前述の従来例と同じ部分については重複説明を省略する。
【００２５】
本形態の換気口カバー５が、前述の従来例による換気口カバー１と相違する点は、フード６の側面部６ａの通気開口６ｂに、斜め下向き吹出しの斜めガラリ６ｃを形成した点と、フード６の前面部６ｄを中央谷折り状として、排気を通気開口６ｂに受け流す「傾斜面」としての傾斜内面６ｅを形成した点と、背面板３に「通気内筒」としてのベルマウス７を設けた点である。
【００２６】
本形態のベルマウス７は、正八角形の角筒状の全体形状としたものであり、基端側の取付フランジ７ａが背面板３に対し溶接・ビス止め等されることによって、背面板３に固定してある。
【００２７】
ベルマウス７の基端開口７ｂから先端開口７ｃに至る筒軸方向に沿う長さは、本形態では図２で示すように、先端開口７ｃがフード６の側面部６ａに形成した通気開口６ｂにおける背面板側の開口縁６ｅと等位置まで突出する長さＬ１となっており、その長さＬ１にわたる基端開口７ｂから先端開口７ｃにかけて次第に開口面積が大きくなる形状となっている。そして、このようにしてフード６の内部に突出する先端開口７ｃには、外向きフランジ７ｄが形成されており、雨水の浸入を抑える水返しとして機能するようになっている。
【００２８】
次に、以上のような本形態の換気口カバー５の作用・効果を説明する。
【００２９】
換気口カバー５に、フード６の内部で背面板３の前方に突出する先端開口７ｃと、先端開口７ｃよりも開口面積が小さく差込筒３と連通する基端開口７ｂとを有するベルマウス７を、背面板３に設けたため、基端開口７ｂよりも先端開口７ｃが大きいベルマウス７の整流作用によって、圧損を低下させることができ、無風状態での排気風量と給気風量とを向上することができる。また、ベルマウス７は、その全長にわたって差込筒３に対する衝立として機能するため、外風の吹き込みを受けても、耐外風仕様として必要な排気風量や給気風量を得ることができる。
【００３０】
また、ベルマウス７は、先端開口７ｃがフード６の側面部６ａに形成した通気開口６ｂにおける背面板側開口縁６ｆと略等位置に突出する長さとして形成したので、圧損係数が小さくなり排気風量や給気風量を高めることができる。すなわち、本発明者の実験によれば、差込筒３を１５０φ、フード６の高さ寸法を２１０ｍｍ一定、フード６の横幅寸法を２１０ｍｍ一定、背面板３におけるベルマウス７の取付面とフード６の前面部６ｄの裏面との間の奥行き寸法を最大で１２０ｍｍ（側面部６ａ側部分）、最小で１１０ｍｍ（中央谷折り状部分）とし、更にベルマウス７の長さＬ１を３０ｍｍ（背面板側開口縁６ｆと完全に等位置）とした換気口カバー５を作製し、圧損係数を求めたところ、０．９７を得ることができたものである。そして、ベルマウス７が無い場合、Ｌ１が５０ｍｍの場合、Ｌ１が７０ｍｍの場合と変えたことを除き、換気口カバー５の構造・寸法および実験条件をすべて同一とした実験により圧損係数を求めたところ、それぞれ１．７９、１．７９、３．３５との結果が得られている。したがって、先端開口７ｃが背面板側開口縁６ｆと等位置とすれば、製品の外寸がある程度の大きさに制限されるという設計上の制約条件を前提としながらも、圧損を低く抑えつつ耐外風仕様として必要な耐外風性能を得ることができるが、必ずしも完全に等位置とする必要はなく、ベルマウス７の長さＬ１をそれより短く又は長くした「略」等位置とした場合であっても、ベルマウス７が無い場合と比較して、圧損を小さくしつつ耐外風仕様として必要な耐外風性能を発揮することができる。
【００３１】
ベルマウス７は、背面板３から前方に突出しているため、先端開口７ｃに対する雨水の浸入を少なくできる。すなわち、図４の一従来例の換気口カバー１と本形態の換気口カバー５とを比較すると、換気口カバー１では通気開口２ａから見たときの差込筒３の見掛け上の開口形状が正円形に近い楕円形であり、換気口カバー５ではベルマウス７の先端開口７ｃの見掛け上の開口形状は細長の楕円形に近く正円形とは程遠い。このため、換気口カバー１の方が見掛け上の開口面積が換気口カバー５よりも大きく、飛来する雨水が浸入しやすくなる。したがって、本形態の換気口カバー５では、ベルマウス７への雨水の浸入を抑えることができ、耐雨水浸入性能を高めることができる。
【００３２】
ベルマウス７は、その長さＬ１にわたる基端開口７ｂから先端開口７ｃにかけて次第に開口面積を大きくした形状であるため、排気が徐々に外向きに拡散する整流作用によって、圧損を低くし排気風量の減少を抑えることができる。また、ベルマウス７の内部に、雨水が付着しても、傾斜する先端開口７ｃに向けて排水することができるため、耐雨水浸入性能を高めることができる。
【００３３】
ベルマウス７は、角部が下端に位置する角筒状であるため、この最下端の角部７ｅを「排水溝」として内周面に付着した雨水を集めて排水できることから、耐雨水浸入性能を高めることができる。
【００３４】
ベルマウス７は、先端開口７ｃに設けた外向きフランジ７ｄが外風に乗って吹き付ける雨水に対する水返しとして機能するため、耐雨水浸入性能が高まる。
【００３５】
前述のようにベルマウス７によって圧損を低下できるため、従来の縦ガラリよりも圧損が高くなる斜め下向き吹出しの斜めガラリ６ｃを通気開口６ｂに形成することが可能となり、換気口カバー５の取付位置の近くに天井等の構造物があっても、排気による汚損を少なくできる。
【００３６】
フード６の前面部６ｄに、先端開口７ｃからの排気を通気開口６ｂに受け流す「傾斜面」としての傾斜内面６ｅを設けたため、傾斜内面６ｅの整流作用によって排気風量の減少を抑えて耐外風性能を高めることができる。
【００３７】
次に、前記換気口カバー５の変形例を説明する。
【００３８】
前記形態のベルマウス７は、差込筒３ｂと別部材として構成したが、一連一体としてもよい。この場合には、例えば背面板に貫通形成した取付孔に、ベルマウス７と差込筒３ｂとを一連一体とした通気筒を挿通して固定することができる。また、ベルマウス７と差込筒３ｂとを一連一体とした通気筒は、金属を板金加工した成形体であっても合成樹脂による成形体としても構成できる。
【００３９】
前記形態のベルマウス７は、溶接・ビス止め等により背面板３にダクトへの取付前に予め取付けてあるものを例示したが、既存する換気口カバー（例えば図４の換気口カバー１）の背面板３に対して後付けするアタッチメントとして構成することもできる。
【００４０】
前記形態のベルマウス７は、基端開口７ｂから先端開口７ｃにかけて、徐々に開口面積が大きくなる形態を例示したが、基端開口７ｂと先端開口７ｃの中間部分から先端開口７ｃにかけて、開口面積が大きくなる形態とすることもできる。
【００４１】
前記形態のベルマウス７の形状は、正八角形の角筒状を例示したが、例えば図３で示すベルマウス８のように、内周面下端部分を長さＬ２について引き下げたような異形の八角形として構成することもできる。そして、この図３のようにすることで、下向きの傾斜角が急峻となるため、排水性の向上により、耐雨水浸入性能を更に高めることができる。なお、以上のような角筒状とせずに、例えば円筒状とすることもできる。
【００４２】
前記形態では、斜めガラリ６ｃの形成例としたが、圧損性能を高めるには従来例のような縦ガラリ２ｂとしてもよい。
【００４３】
前記形態のフード６は、側面部６ａに通気開口６ｂを有するものを例示したが、場合によっては他の面に通気開口を有するものとして構成することもできる。
【図面の簡単な説明】
【００４４】
【図１】一実施形態による換気口カバーの分解斜視図。
【図２】図１の換気口カバーの使用状態を示す中央断面図。
【図３】図１のベルマウスの変形例を示す図で、分図（ａ）は正面図、分図（ｂ）は分図（ａ）のＳＡ−ＳＡ線断面図。
【図４】一従来例による換気口カバーの分解斜視図。
【符号の説明】
【００４５】
１    換気口カバー
２    フード
２ａ  通気開口
２ｂ  縦ガラリ
３    背面板
３ａ  取付枠
３ｂ  差込筒
５    換気口カバー（実施形態）
６    フード
６ａ  側面部
６ｂ  通気開口
６ｃ  斜めガラリ
６ｄ  前面部
６ｅ  傾斜内面
６ｆ  背面板側開口縁
７    ベルマウス
７ａ  取付フランジ
７ｂ  基端開口
７ｃ  先端開口
７ｄ  外向きフランジ
７ｅ  角部（排水溝）
８    ベルマウス
【図１】
2006145161.tif 000003
【図２】
2006145161.tif 000004
【図３】
2006145161.tif 000005
【図４】
2006145161.tif 000006